(57)【要約】  【課題】  リール式のペット用リードにおいて、ペットの突然の動きなどで生じる強い負荷の発生を抑えることを課題とする。  【解決手段】  ペット用リードとしてペットを繋ぐための紐状のリード本体と、前記リード本体を巻き取るリールと、前記リールからの前記リード本体の繰り出し動作を固定するロック機構と、前記リールからの前記リード本体の繰り出しを一定の拘束力を加えつつ許容するドラグ機構と、前記ロック機構が機能するロック状態と、前記ドラグ機構が機能するドラグ状態と、これらの両機構が機能しないフリー状態との切り替えを行う切り替えスイッチとを設ける。【選択図】  図４
2006014649.tif 000002
【特許請求の範囲】
【請求項１】
ペットを繋ぐための紐状のリード本体と、
前記リード本体を巻き取るリールと、
前記リールからの前記リード本体の繰り出し動作を固定するロック機構と、
前記リールからの前記リード本体の繰り出しを一定の拘束力を加えつつ許容するドラグ機構と、
前記ロック機構が機能するロック状態と、前記ドラグ機構が機能するドラグ状態と、これらの両機構が機能しないフリー状態との切り替えを行う切り替えスイッチと
を有するペット用リード
【請求項２】
前記ドラグ機構は、前記拘束力を変えることができる請求項１に記載のペット用リード。
【請求項３】
前記ペット用リードにおいて、さらに、
前記リード本体の途中に設けられる突起物である突起体と、
前記フリー状態において前記リールから前記リード本体が繰り出される際に、前記突起体に係合し、前記リード本体が繰り出される力によって前記ドラグ状態に切り替え、その後、前記係合体との係合が解除される自動ドラグ状態切り替えスイッチと
を有する請求項１又は２に記載のペット用リード。
【請求項４】
前記自動ドラグ状態切り替えスイッチは、
内周面の少なくとも一部に前記突起体に係合する弾性体を有する筒部と、
この筒部と前記切り替えスイッチとに連結され、前記リードの繰り出し方向への移動により、前記ドラグ機構を機能させる状態にする連結部とにより構成される
請求項３に記載のペット用リード。
【発明の詳細な説明】
【技術分野】
【０００１】
本発明はペットを散歩させる場合などに、ペットを繋ぐリール式のリードに関する。
【背景技術】
【０００２】
ペットを散歩させる場合などに、ペットを繋ぐリードとしてリードをリールによって巻き取り長さを自在に調節できるリール式のリードがある。このリール式のリードは、リードを適度な長さにした状態で固定する固定状態と、リードが自在に繰り出されるフリー状態の２つの状態に設定することができるものが多い。なお、フリー状態の場合は、ゼンマイによって自動的に巻き取られる力が発生し、リードがたるむことが防がれるようになっている。
【発明の開示】
【発明が解決しようとする課題】
【０００３】
このようなリール式リードをフリー状態で使用する場合、ペットは自由に動ける利点があるが、リードが出きってしまう直前に、急にペットが走り出した場合、リードが出きったところで強い力が発生し、ペットの飼い主がリードを手離してしまったり、けがをしてしまうことがある。また、ペットもこのような突然の強い力によって首等に負荷がかかり、けがをすることもある。
このような事情に鑑み、本発明は、リール式のペット用リードにおいて、ペットの突然の動きなどで生じる強い負荷の発生を抑えることを課題とする。
【課題を解決するための手段】
【０００４】
上記課題を解決するために、本発明は次のような構成を有する。
請求項１に記載の発明は、ペットを繋ぐための紐状のリード本体と、前記リード本体を巻き取るリールと、  前記リールからの前記リード本体の繰り出し動作を固定するロック機構と、前記リールからの前記リード本体の繰り出しを一定の拘束力を加えつつ許容するドラグ機構と、前記ロック機構が機能するロック状態と、前記ドラグ機構が機能するドラグ状態と、これらの両機構が機能しないフリー状態との切り替えを行う切り替えスイッチとを有するペット用リードである。
請求項２に記載の発明は、前記ペット用リードにおいて、前記ドラグ機構の前記拘束力を変えることができるものである。
請求項３に記載の発明は、前記ペット用リードにおいて、さらに、前記リード本体の途中に設けられる突起物である突起体と、前記フリー状態において前記リールから前記リード本体が繰り出される際に、前記突起体に係合し、前記リード本体が繰り出される力によって前記ドラグ状態に切り替え、その後、前記係合体との係合が解除される自動ドラグ状態切り替えスイッチとを有するものである。
請求項４に記載の発明は、請求項３に記載のペット用リードにおいて、前記自動ドラグ状態切り替えスイッチは、内周面の少なくとも一部でに前記突起体に係合する弾性体を有する筒部と、この筒部と前記切り替えスイッチとに連結され、前記筒部の前記リードの繰り出し方向への移動により、前記ドラグ機構を機能させる状態にする連結部とにより構成されるものである。
【発明の効果】
【０００５】
請求項１に記載の発明は、ドラグ状態に切り替えることでペットがリードを繰り出すのに要する力を強くすることができ、これによってペットの動きを拘束することができる。従って、ペットのある程度の自由な動きを許容しながら突然のリードの繰り出しを抑えることで強い負荷の発生を抑えることができる。
請求項２に記載の発明は、ドラグ機構の拘束力を変えることができるので、ペットの力に応じて拘束力を変えることで、ペットの個体差に係わりなく、ある程度の自由な動きと急な動きに対する拘束とのバランスを適度に調節することが可能となる。
請求項３に記載の発明は、フリー状態からリードがある程度の長さ繰り出されると自動ドラグ切り替えスイッチによってドラグ状態となるので、フリー状態でペットを繋いだ状態でペットが急に走り出したとしても、リードが出きってしまう前にドラグ状態に移行してペットの動きをドラグ機構で緩やかに拘束する。すなわち、飼い主がドラグ状態にすることを忘れていても、必ずドラグ状態に切り替わり、フリー状態でリードが出きってしまう場合に発生する強い負荷を発生させないようにすることができる。
請求項４に記載の発明は、リードの繰り出される力を、飼い主が操作する切り替えスイッチに伝えることでドラグ状態に移行させるので、別の切り替えスイッチを設けることなく構成を簡易にすることができる。
【発明を実施するための最良の形態】
【０００６】
以下、本発明の実施の形態について、図面を参照しながら説明する。
図１に本実施の形態に係るペット用リードＸの斜視図を示す。本ペット用リードＸは外観として取っ手のついたケーシング１、ケーシング１にリールにより巻き取られて内蔵される紐状のリード本体３、リードのリールからの繰り出しを固定するロック状態、一定の拘束力をかけながら繰り出しを許容するドラグ状態、ほぼ自由な繰り出しを許容するフリー状態の３つの状態を切り替えるための切り替えスイッチ２、ドラグ状態における拘束力を調整するためのドラグ調整ネジ７ａが含まれる。リード本体３の先端にはペットの首輪等に接続するための接続金具３ａが設けられている。
図２に図１における簡略化したＡ−Ａ断面図を示す。なお、図２ではリード本体３は省略している。図に示すように、ペット用リードＸの内部には、ケーシング１に軸支されるリード本体３を巻き取るリール６、切り替えスイッチ２、ドラグ機構７、自動ドラグ状態切り替えスイッチ８等がある。図３に図２における簡略化したＢ−Ｂ断面を示す。
リール６はのこぎり状の外周を有する２枚の鍔６ａと、この鍔に挟まれるリード本体３を巻き取る円筒状の芯６ｃと、鍔６ａを回動可能に支持するケーシング１に固定される丸棒である軸６ｂと、軸６ｂと芯６ｃの内周面とに固定されるゼンマイ６ｄとを有する。ゼンマイ６ｄはリードが繰り出されると半径が小さくなり、元に戻ろうとする力によりリードに繰り出す力がなくなると自動的にリールにリードを巻き取るように回動力を与えるように作用する。
【０００７】
図４に図２における簡略化したＣ−Ｃ断面を示す。ドラグ機構７は、リール６に固定されるギア７ｆ、ギア７ｆに係合する一定範囲で回動する爪７ｅ、爪７ｅの回動を制限するための押圧力を加えるＵ字状のバネ７ｄ、バネ７ｄに押圧力を加える、図の上下方向に移動可能に固定される押圧体７ｃ、押圧体７ｃの位置を調節するためにカム７ｂ、カム７ｂを回転させるためのドラグ調節ネジ７ａが含まれる。なお、後述するようにギア７ｆと爪７ｅの係合は切り替えスイッチ２の操作により自在に解くことができる。ドラグ機構７の動作を以下に簡単に説明する。
爪７ｅはギア７ｆに係合しており、ギア７ｆが回動する際には、爪７ｅが回動しなければ回動できないようになっている。一方、爪７ｅの回動はバネ７ｄによって拘束されている。すなわち、バネの力を超える回動力を爪７ｅに与える程度の大きな力でギアを回動させなけれればギアは回らない。ギア７ｆはリール６に固定されているので、リードが繰り出される力に対してこの爪７ｅを回動させる力が拘束力となる。この拘束力はバネの力を調節することで調節することができる。ドラグ調整ネジ７ａを適当な位置に回動させると、カム７ｂが押圧体７ｃのカム係合片７ｃｂに当たり、押圧体７ｃの位置を拘束する。押圧体７ｃはバネ係合片によりバネ７ｄを押圧しているので、カムの位置によりバネの強さが調節されることになる。バネが強くなると爪７ｅの回動がそれだけ制限され爪７ｅが回動しにくくなる。すなわち、ドラグ状態における拘束力は、調整ネジ７ａを回してカム７ｂの位置を調整することで変えることができる。
【０００８】
切り替えスイッチ２は、ケーシングの外部に表出する操作のための操作ボタン２ａ、操作ボタン２ａに連結するリール６の２枚の鍔６ａの外周に係合するロック凸部２ｄ、同じく操作ボタン２ａに係合するドラグ状態の切り替えを行うためのドラグ切り替え杆２ｂ、切り替えスイッチのスライド方向を規制する長穴２ｆと、長穴２ｆ内に位置するケーシングに固定されるピン２ｅを有する。ロック凸部２ｄがリール６の鍔６ａに係合することでリール６の回転は固定されロック状態となる。
図５にドラグ切り替え杆２ｂの先端近傍の拡大側面図を示し、図６にギア７ｆのリール側の面の拡大図を示す。ギア７ｆのリール側の面には輪状のリング突起７ｆａが設けられている。一方、ドラグ切り替え杆２ｂの先端近傍にはこのリング突起７ｆａに係合し、これをリールと反対側に押し出す切り替え突起２ｂａが設けられている。ギア７ｆは通常は図示しないバネによりリール側に押し付けられており、この状態ではドラグ機構の爪７ｅとギア７ｆとは係合していない。ドラグ切り替え杆２ｂが先端方向に移動し、切り替え突起２ｂがギア７ｆのリング突起７ｆａと係合することで、ギア７ｆはリールと反対側に押し出され、これによってギア７ｆは爪７ｅと係合してドラグ状態となる。なお、この状態では、まだ、ロック凸部２ｄは鍔６ａには係合していない。また、ドラグ切り替え杆２ｂは長穴２ｂｂによりリール６の軸６ｂと係合している。
【０００９】
切り替えスイッチ２による動作を以下に簡単に説明する。まず、操作ボタン２がリールから最も離れた位置にある状態においてロック凸部２ｄはリール６の鍔６ａに係合しておらず、また、ドラグ切り替え杆２ｂの切り替え突起２ｂもギア７ｆのリング突起７ｆａと係合していないフリー状態となっている。この状態で、操作ボタン２ａをリール側へスライドさせると、最初に、ドラグ切り替え杆２ｂの切り替え突起２ｂがギア７ｆのリング突起７ｆａと係合し、ギア７ｆがドラグ機構の爪７ｅの方へ押し出されて係合することで、リール６はドラグ状態となる。さらに、操作ボタン２ａリール側へスライドさせると、ロック凸部２ｄはリール６の鍔６ａに係合する。この状態においてドラグ切り替え杆２ｂの切り替え突起２ｂはギア７ｆのリング突起７ｆａの係合をはずれ、さらに、リング突起７ｆａを乗り越えた位置に存する。つまり、操作ボタン２ａから指を離してもロック状態で安定した状態となる。また、この状態から、操作ボタン２ａを逆にリールから離れる方向にスライドさせることで、ドラグ状態、フリー状態へと移行させることができる。
【００１０】
自動ドラグ状態切換えスイッチ８は、ケーシング１のリード本体３が外部へ通じる穴近傍に設けられる。図７（ａ）に、自動ドラグ状態切換えスイッチ８の拡大図を示し、図７（ｂ）に図７（ａ）のＤ−Ｄ断面図を示す。ドラグ状態切り替えスイッチは、ケーシング１のリード本体３が外部へ通じる穴に一体に設けられる円筒状のバネ押さえ８ａ、リード本体３を通しバネ押さえに先端を押さえられる圧縮バネ８ｂ、圧縮バネ８ｂの他端に当接し、リード本体３を内部に通してリード本体３上を摺動する摺動円筒部８ｃ、摺動円筒部８ｃと切り替えスイッチ２の一部とを連結する連結部８ｆ、摺動円筒部８ｃの後方への動きを規制するケーシング１に固定されるドーナツ状の後部規制部材８ｇ、リード本体３の途中（ここでは、リード本体３の後端１メールあたり）に設けられるそろばん玉状の突起体８ｅとより構成される。摺動円筒部８ｃ内部には突起体８ｅの最大径よりも小さな円周上に先端が位置する係合爪８ｃａが４方から対象に取り囲むように設けられている。この係合爪８ｃａは弾性変形可能な合成樹脂でできており、リードが繰り出される方向に移動する場合は、一定以上の力でリード本体が引っ張られると突起体８ｅが抜けるようになっている。この一定の力は、連動杆８ｆにより引っ張られる切り替えスイッチ２においてフリー状態からドラグ状態にドラグ切り替え杆２ｂが動く力よりも大きい値であり、ドラグ状態からロック状態にドラグ切り替え杆２ｂが動く力よりも小さな値に設定される。また、係合爪８ｃａは突起体８ｅがリード本体が巻き取られるように移動する場合には、小さな力で抜けるように内側に向かって傾斜している。
このような構成を有するドラグ状態自動切り替えスイッチ８の動作を以下に簡単に説明する。ペットの飼い主は、フリー状態でペットを散歩させているものとする。この状態でリード本体３が引き出されていくと、リード本体３が出きってしまう１メール手前でリード本体３に設けられた突起体８ｅが、摺動円筒部８ｃ内部の係合爪８ｃａに係合し、摺動円筒部８ｃをリード本体３の繰り出される方向へ移動させる。この移動により摺動円筒部８ｃに連結部８ｆにより連結した切り替えスイッチ２も移動し、切り替えスイッチ２のドラグ切り替え杆２ｂが移動してドラグ状態となる。さらに、リード本体３が引き出されると突起体８ｅはドラグ切り替え杆２ｂがロック状態になるよりも小さな力で摺動円筒部８ｃを抜けるので、ドラグ状態のまま突起体８ｅは摺動円筒部８ｃを抜けて外部に出て行く。この状態ですでにドラグ状態であるので、ペットの動きに拘束力が働き、急な動きを規制することができる。リード本体３が巻き取られる場合には、突起体８ｅは小さな力で摺動円筒部８ｃを抜けるので、そのまま、突起部８ｅはリール
６にリード本体３とともに巻き取られることになる。
【００１１】
本発明に係るペット用リードはこのような構成を有するので、ペットを散歩させる状況に応じてフリー状態、ロック状態に加えて、ペットの動きをある程度拘束するドラグ状態とすることができ、また、フリー状態から急にペットが走り出すような場合でも、自動的にドラグ状態となるので、リードが出きってしまう前にペットの動きを規制してより安全なペットの散歩を実現することができる。
【図面の簡単な説明】
【００１２】
【図１】ペット用リードを示す斜視図である。
【図２】図１における簡略化したＡ−Ａ断面図である。
【図３】図２における簡略化したＢ−Ｂ断面である。
【図４】図２における簡略化したＣ−Ｃ断面である。
【図５】ドラグ切り替え杆２の先端近傍を示す拡大側面図である。
【図６】ドラグ機構のギアのリール側の面の拡大図である。
【図７】（ａ）は自動ドラグ状態切換えスイッチの拡大図であり、（ｂ）は（ａ）のＤ−Ｄ断面図である。
【符号の説明】
【００１３】
Ｘ      ペット用リール
２      切り替えスイッチ
３      リード本体
６      リール
７      ドラグ機構
８      自動ドラグ状態切り替えスイッチ
【図１】
2006014649.tif 000003
【図２】
2006014649.tif 000004
【図３】
2006014649.tif 000005
【図４】
2006014649.tif 000006
【図５】
2006014649.tif 000007
【図６】
2006014649.tif 000008
【図７】
2006014649.tif 000009